(57)【要約】【課題】構成に要する費用が嵩むこと、および構成が複雑化することを防止しつつ、電線端末を的確に止水する。【解決手段】接続端子１５は、被覆材１２の端末１２ａおよび該被覆材１２の端末１２ａから露出した導体１１の端末１１ａを内部に収容可能な筒状部２１と、接続対象物に固定可能な接続部２２と、を備える。筒状部２１は、一方および他方の開口端部２１ａ，２１ｂ間に被覆材１２の端末１２ａから露出した導体１１を圧着固定する導電性の導体圧着部３１を備える。一方の開口端部１２ａと導体圧着部３１との間に導体１１の端末１１ａを収容し、他方の開口端部２１ｂと導体圧着部３１との間に被覆材１２の端末１２ａを収容し、止水材１６は、筒状部２１の内部における一方の開口端部２１ａと導体圧着部３１との間および他方の開口端部２１ｂと導体圧着部３１との間に充填されている。【選択図】図１
2014102932.tif 000002
【特許請求の範囲】
【請求項１】
導体と該導体の外周面を被覆する電気絶縁性の被覆材とを備える被覆電線の端末部を接続端子および止水材によって止水してなる電線端末の止水構造であって、
前記接続端子は、前記被覆材の端末および該被覆材の端末から露出した前記導体の端末を内部に収容可能な筒状部と、接続対象物に固定可能な接続部と、を備え、
前記筒状部は、一方および他方の開口端部間に前記被覆材の端末から露出した前記導体を圧着固定する導電性の圧着部を備え、前記一方の開口端部と前記圧着部との間に前記導体の端末を収容し、前記他方の開口端部と前記圧着部との間に前記被覆材の端末を収容し、
前記止水材は、前記筒状部の内部における前記一方の開口端部と前記圧着部との間および前記他方の開口端部と前記圧着部との間に充填されていることを特徴とする電線端末の止水構造。
【請求項２】
前記圧着部は、前記筒状部の軸線周りの少なくとも３方向から作用する圧縮力によって圧縮形成されていることを特徴とする請求項１に記載の電線端末の止水構造。
【請求項３】
前記接続端子は、前記筒状部の前記他方の開口端部の近傍に前記被覆電線の前記被覆材を固定する被覆材固定部を備えることを特徴とする請求項１または請求項２に記載の電線端末の止水構造。
【発明の詳細な説明】
【技術分野】
【０００１】
この発明は、電線端末の止水構造に関する。
【背景技術】
【０００２】
従来、例えば、接続端子の電線接続部に電線を接続し、この電線接続部を覆うキャップを電線に装着し、キャップの一端を電線に密接状態とし、かつ他端を電線よりも大きく開口させ、この開口からキャップ内に樹脂を注入することによって、電線接続部を防水処理する方法が知られている（例えば、特許文献１参照）。
【先行技術文献】
【特許文献】
【０００３】
【特許文献１】特開昭６０−１１９０８６号公報
【発明の概要】
【発明が解決しようとする課題】
【０００４】
ところで、上記従来技術に係る防水処理方法によれば、電線接続部を被覆する樹脂を電線接続部の周囲に貯留するためだけに、特別な部材のキャップを必要とし、構成に要する部品点数が増大してしまうという問題が生じる。
【０００５】
本発明は上記事情に鑑みてなされたもので、構成に要する費用が嵩むこと、および構成が複雑化することを防止しつつ、電線端末を的確に止水することが可能な電線端末の止水構造を提供することを目的としている。
【課題を解決するための手段】
【０００６】
上記課題を解決して係る目的を達成するために、本発明の第１の発明に係る電線端末の止水構造は、導体（例えば、実施の形態での導体１１）と該導体の外周面を被覆する電気絶縁性の被覆材（例えば、実施の形態での被覆材１２）とを備える被覆電線（例えば、実施の形態での被覆電線１３）の端末部（例えば、実施の形態での端末部１４）を接続端子（例えば、実施の形態での接続端子１５）および止水材（例えば、実施の形態での止水材１６）によって止水してなる電線端末の止水構造であって、前記接続端子は、前記被覆材の端末（例えば、実施の形態での端末１２ａ）および該被覆材の端末から露出した前記導体の端末（例えば、実施の形態での端末１１ａ）を内部に収容可能な筒状部（例えば、実施の形態での筒状部２１）と、接続対象物に固定可能な接続部（例えば、実施の形態での接続部２２）と、を備え、前記筒状部は、一方および他方の開口端部間に前記被覆材の端末から露出した前記導体を圧着固定する導電性の圧着部（例えば、実施の形態での導体圧着部３１）を備え、前記一方の開口端部と前記圧着部との間に前記導体の端末を収容し、前記他方の開口端部と前記圧着部との間に前記被覆材の端末を収容し、前記止水材は、前記筒状部の内部における前記一方の開口端部と前記圧着部との間および前記他方の開口端部と前記圧着部との間に充填されている。
【０００７】
本発明の第２の発明に係る電線端末の止水構造では、前記圧着部は、前記筒状部の軸線周りの少なくとも３方向から作用する圧縮力によって圧縮形成されている。
【０００８】
本発明の第３の発明に係る電線端末の止水構造では、前記接続端子は、前記筒状部の前記他方の開口端部の近傍に前記被覆電線の前記被覆材を固定する被覆材固定部（例えば、実施の形態での被覆材圧着部２４）を備える。
【発明の効果】
【０００９】
本発明の第１の発明に係る電線端末の止水構造によれば、被覆電線の導体と電気的に接続される接続端子と止水材とによって被覆電線の端末部を止水することができ、例えば止水材を貯留するための特別な部材を別途設ける必要無しに、構成に要する費用が嵩むことおよび構成が複雑化することを防止することができる。
【００１０】
つまり、筒状部の圧着部の内面と導体の外面とが接触することによって接続端子と被覆電線とが電気的に接続される。
また、筒状部の一方の開口端部から内部に注入された止水材は、圧着部によって塞き止められ、導体と筒状部の内面との間を止水する。
また、筒状部の他方の開口端部から内部に注入された止水材は、圧着部によって塞き止められ、導体および被覆材と筒状部の内面との間を止水する。
これらによって、被覆電線の端末部において導体の端末から被覆材までを止水材によって止水することができる。
【００１１】
本発明の第２の発明に係る電線端末の止水構造によれば、例えば筒状部を１方向または２方向から圧縮した場合には、筒状部がつぶれるように変形することに伴い、一方および他方の開口端部の開口が狭くなる虞があることに対して、少なくとも３方向から圧縮することによって一方および他方の開口端部の変形を抑制することができる。さらに、筒状部が縮まるように（縮径するように）変形させることができ、圧着部の内面と導体の外面との間に隙間が形成されることを抑制することができる。
これらにより、圧着部によって導体を強固かつ密着性良く圧着固定することができ、筒状部の内部に注入された止水材を的確に塞き止めることができる。
【００１２】
本発明の第３の発明に係る電線端末の止水構造によれば、接続端子によって導体と被覆材とを固定していることから、例えば被覆電線が変位または変形した場合であっても、筒状部の内部における他方の開口端部側などにおいて、止水材が導体や被覆材の表面から剥がれてしまうことを防止することができる。
【図面の簡単な説明】
【００１３】
【図１】本発明の実施の形態に係る電線端末の止水構造の平面図および側面図および断面図およびＡ−Ａ線矢視図である。
【図２】本発明の実施の形態に係る電線端末の止水構造を分解して示す構成図である。
【図３】本発明の実施の形態に係る電線端末の止水構造の組立工程を示す図である。
【発明を実施するための形態】
【００１４】
以下、本発明の一実施形態に係る電線端末の止水構造について添付図面を参照しながら説明する。
【００１５】
本実施の形態による電線端末の止水構造１０は、例えば図１（Ａ）〜（Ｃ）および図２に示すように、導体１１と該導体１１の外周面を被覆する電気絶縁性の被覆材１２とを備える被覆電線１３の端末部１４を接続端子１５および止水材１６によって止水してなるものである。
【００１６】
導体１１は、例えば、複数の素線などからなり、被覆電線１３の端末部１４において、所定長さに亘って被覆材１２が剥がされたことによって被覆材１２の端末１２ａから外部に突出するようにして露出している。
【００１７】
接続端子１５は、例えば銅、黄銅（真鍮）などの良導電性の金属によって形成された端子金具であって、筒状部２１と、筒状部２１から延出する板状片である接続部２２およびベース板部２３および被覆材圧着部２４と、を備えて構成されている。
【００１８】
筒状部２１は、例えば、被覆電線１３の延在方向を長手方向に一致させるようにして被覆電線１３の端末部１４を内部に収容可能であり、被覆材１２の端末１２ａおよび該被覆材１２の端末１２ａから露出した導体１１の端末１１ａを内部に収容している。
【００１９】
筒状部２１は、一方および他方の開口端部２１ａ，２１ｂ間に被覆材１２の端末１２ａから露出した導体１１を圧着固定する導電性の導体圧着部３１を備えている。
そして、一方の開口端部２１ａと導体圧着部３１との間に導体１１の端末１１ａを収容し、他方の開口端部２１ｂと導体圧着部３１との間に被覆材１２の端末１２ａを収容している。
【００２０】
導体圧着部３１は、筒状部２１の軸線周りの少なくとも３方向（例えば、８方向など）から対称的に作用する圧縮力によって圧縮形成されており、例えば８角形筒状の導体圧着部３１は導体１１の外周面を８方向から押さえ込むように圧縮変形して、内面を導体１１の外周面に密着させて、導体１１を圧着固定する。
【００２１】
接続部２２は、例えば、筒状部２１の長手方向一端（つまり、一方の開口端部２１ａ）から該筒状部２１に比べて幅広に延設され、ボルトなどによって接続対象物（図示略）に固定可能となるようにして、板厚を貫通して形成されたボルト装着孔２２ａを備えている。
【００２２】
なお、接続対象物（図示略）に接触する接続部２２の接続面２２Ａは、接続端子１５の延在方向に直交する方向において、接続端子１５の他の部位の外面と面一の位置または接続端子１５の他の部位の外面よりも外方側の位置に配置されている。
これに伴い、例えば、接続部２２には長手方向に交差する方向に屈曲する屈曲部２２ｂが形成されている。
【００２３】
ベース板部２３は、例えば、筒状部２１の長手方向他端（つまり、他方の開口端部２１ｂ）から延設され、表面上に載置された被覆電線１３を支持する。
被覆材圧着部２４は、例えば、ベース板部２３の長手方向他端部においてベース板部２３の幅方向両端から突出する突片状の１対の被覆材保持片部２４ａ，２４ａを備えている。
１対の被覆材保持片部２４ａ，２４ａは、例えば、ベース板部２３に沿って配置された被覆電線１３の被覆材１２を、ベース板部２３の幅方向の両側から抱え込むように曲げ変形して、被覆電線１３をベース板部２３に押さえ込んで圧着固定する。
【００２４】
止水材１６は、少なくとも、筒状部２１の内部に充填されるときにおいて流動性を有する樹脂などであって、充填後においては硬化可能な、例えば紫外線硬化型や熱硬化型や自然硬化型などの硬化性の樹脂などであってもよい。
止水材１６は、例えば、筒状部２１の内部における一方の開口端部２１ａと導体圧着部３１との間および他方の開口端部２１ｂと導体圧着部３１との間に充填されることによって、被覆電線１３の端末部１４を止水状態に被覆している。
【００２５】
つまり、筒状部２１の一方の開口端部２１ａから内部に注入された止水材１６は、導体圧着部３１によって塞き止められ、導体１１と筒状部２１の内面との間を止水する。
また、筒状部２１の他方の開口端部２１ｂから内部に注入された止水材１６は、導体圧着部３１によって塞き止められ、導体１１および被覆材１２と筒状部２１の内面との間を止水する。
これらによって、止水材１６は、被覆電線１３の端末部１４において導体１１の端末１１ａから被覆材１２までを止水状態に被覆している。
【００２６】
本実施の形態による電線端末の止水構造１０は上記構成を備えており、次に、この電線端末の止水構造１０の組立工程について説明する。
【００２７】
先ず、例えば図３（Ａ）に示すステップＳ０１においては、被覆材１２の端末１２ａから外部に突出するようにして導体１１が露出した被覆電線１３の端末部１４を接続端子１５の筒状部２１の内部に挿入し、導体１１の端末１１ａを筒状部２１の一方の開口端部２１ａ側に向けた状態とする。
【００２８】
次に、例えば図３（Ｂ）に示すステップＳ０２においては、適宜のかしめ工具４１などによって、筒状部２１の軸線周りの少なくとも３方向、例えば８方向から、筒状部２１の外周面に圧縮力を作用させ、導体圧着部３１を圧縮形成する。
これにより、８角形筒状の導体圧着部３１は導体１１の外周面を８方向から押さえ込むように圧縮変形して、内面を導体１１の外周面に密着させて、導体１１を圧着固定する。
さらに、接続端子１５の被覆材圧着部２４によって、被覆電線１３の被覆材１２をベース板部２３に押さえ込んで圧着固定する。
【００２９】
次に、例えば図３（Ｃ）に示すステップＳ０３においては、筒状部２１の一方の開口端部２１ａおよび他方の開口端部２１ｂから筒状部２１の内部に流動性の止水材１６を充填する。
これによって、筒状部２１の一方の開口端部２１ａと導体圧着部３１との間においては、導体１１と筒状部２１の内面との間に止水材１６を充填させ、筒状部２１の他方の開口端部２１ｂと導体圧着部３１との間においては、導体１１および被覆材１２と筒状部２１の内面との間に止水材１６を充填させる。そして、止水材１６を硬化させる。
【００３０】
上述したように、本実施の形態による電線端末の止水構造１０によれば、被覆電線１３の導体１１と電気的に接続される接続端子１５と止水材１６とによって被覆電線１３の端末部１４を止水することができ、例えば止水材１６を貯留するための特別な部材を別途設ける必要無しに、構成に要する費用が嵩むことおよび構成が複雑化することを防止することができる。
【００３１】
つまり、筒状部２１の導体圧着部３１の内面と導体１１の外面とが接触することによって接続端子１５と被覆電線１３とが電気的に接続される。
また、筒状部２１の一方の開口端部２１ａから内部に注入された止水材１６は、導体圧着部３１によって塞き止められ、導体１１と筒状部２１の内面との間を止水する。
また、筒状部２１の他方の開口端部２１ｂから内部に注入された止水材１６は、導体圧着部３１によって塞き止められ、導体１１および被覆材１２と筒状部２１の内面との間を止水する。
これらによって、被覆電線１３の端末部１４において導体１１の端末１１ａから被覆材１２までを止水材１６によって止水することができる。
【００３２】
さらに、例えば筒状部２１を１方向または２方向から圧縮した場合には、筒状部２１がつぶれるように変形することに伴い、一方および他方の開口端部２１ａ，２１ｂの開口が狭くなる虞があることに対して、少なくとも３方向から圧縮することによって一方および他方の開口端部２１ａ，２１ｂの変形を抑制することができる。さらに、筒状部２１が縮まるように（縮径するように）変形させることができ、導体圧着部３１の内面と導体１１の外面との間に隙間が形成されることを抑制することができる。
これらにより、導体圧着部３１によって導体１１を強固かつ密着性良く圧着固定することができ、筒状部２１の内部に注入された止水材１６を的確に塞き止めることができる。
【００３３】
さらに、接続端子１５の導体圧着部３１および被覆材圧着部２４によって導体１１および被覆材１２を固定していることから、例えば被覆電線１３が変位または変形した場合であっても、筒状部２１の内部における他方の開口端部２１ｂ側などにおいて、止水材１６が導体１１や被覆材１２の表面から剥がれてしまうことを防止することができる。
【符号の説明】
【００３４】
１１…導体、１１ａ…端末、１２…被覆材、１２ａ…端末、１３…被覆電線、１４…端末部、１５…接続端子、１６…止水材、２１…筒状部、２２…接続部、３１…導体圧着部（圧着部）、２４…被覆材圧着部（被覆材固定部）
【図１】
2014102932.tif 000003
【図２】
2014102932.tif 000004
【図３】
2014102932.tif 000005